(57)【要約】【課題】ヘッドに指標線を設けた場合でも、より正確に視覚によって指標線を把握でき、確実なスイングにより的確に目標の方向に打つことを可能とするゴルフクラブヘッドを提供する。【解決手段】ヘッドに設けた指標線２に対し、該基準線２と平行かつ上方へ所定の間隔を置いて離間基準縁１０を設けたことを特徴とするヘッド１であり、離間基準縁１０が指標線形状に近似した長穴または十字穴であって、該離間基準縁１０がヘッドに設けた指標線の上方に設けた空洞の天板１１を貫通して設けられたゴルフクラブヘッドである。【選択図】　　　　図２
2004135880.tif 000002
【特許請求の範囲】
【請求項１】
ヘッドに設けた指標線に対し、該基準線と平行かつ上方へ所定の間隔を置いて離間基準縁を設けたことを特徴とするゴルフクラブヘッド。
【請求項２】
離間基準縁が指標線形状に近似した長穴または十字穴である請求項１記載のゴルフクラブヘッド。
【請求項３】
離間基準縁がヘッドに設けた指標線の上方に設けた空洞の天板を貫通して設けられた請求項１又は２記載のゴルフクラブヘッド。
【発明の詳細な説明】
【０００１】
【発明の属する技術分野】
本発明は、ゴルフボールを的確に目標の方向に打つことができるゴルフクラブヘッドに関する。
【０００２】
【従来の技術】
従来、ゴルフクラブ、特にパターにゴルフボールがカップに入る確率を向上させる目的でスイング方向と同じ方向に直線状の指標線を設けている（例えば、特許文献１、特許文献２）。また、指標線としてはクラブヘッドの先部と基部方向に形成した例もある（例えば、特許文献３）。更に、シャフト下部に着脱自在なガイド金具をスイング方向と同じ方向の指標線の上部に配置可能にした例がある（例えば、特許文献４参照）。
【０００３】
【特許文献１】
特開平１０−１９２４６６号公報（第１頁、図１）
【特許文献２】
特開平１１−３４２２３１号公報（第１頁、図１）
【特許文献３】
特開平１０−２４８９７５号公報（第１頁、図１）
【特許文献４】
特開平１１−１９２６４公報（第１頁、図１）
【０００４】
【発明が解決しようとする課題】
たとえ従来のこのようなスイング方向と同じ指標線を設けた場合でも（特許文献１、特許文献２）、また、先部と基部方向に形成した場合でも（特許文献３）、ゴルフボールを的確に目標の方向に打つことは困難である。また、ガイド金具をスイング方向と同じ方向の指標線の上部に配置した例でも（特許文献４参照）やはり、的確に目標の方向に打つことができていない。ガイド金具を付けるといった場合、外観面からも練習に限られてくるし、効果が少ないことから使用されている例もみられない。
【０００５】
そこで、本発明者はヘッドに指標線を設けた場合でも、より正確に視覚によって指標線を把握できることを検討し、確実なスイングにより的確に目標の方向に打つことを可能とするゴルフクラブヘッドについて検討した。
【０００６】
【課題を解決するための手段】
上記課題を検討した結果、ヘッドに設けた指標線に対し、該基準線と平行かつ上方へ所定の間隔を置いて離間基準縁を設けたことを特徴とするゴルフクラブヘッドとした。ここにいう離間基準縁は指標線形状に近似した長穴又は十字穴が好ましい。また、離間基準縁は必ずしも連続した構造である必要はなく、指標線形状に近似した不連続のものであってもよい。離間基準縁はヘッドに設けた指標線の上方に設けた空洞の天板を貫通して覗き窓として設けることもできるし、ヘッドの一部から指標線の上方に架けられた天板に覗き窓として設けてもよい。更に、ボックス状又はコ字状等の天板を有したものに覗き窓等として貫通させて設けたものを既存のパター等に任意に装着する構造であってもよい。また、離間基準縁の両縁が必ずしも指標線に沿う必要はなく、少なくとも離間基準縁の片縁が指標線に沿えばよい。
【０００７】
離間基準縁は指標線から上方へ（プレイヤー視点側に）１５〜４０ｍｍ、好ましくは２５〜３０ｍｍ離れた位置Ｈが好ましい。また、天板に設ける場合に天板の厚みＴとしては５〜１０ｍｍ、好ましくは７〜８ｍｍ程度がよい。更に開口のスリット幅Ｗは５〜８ｍｍ、好ましくは６〜７ｍｍがよい。指標線の太さは３ｍｍ程度が好ましく、長さは３０ｍｍ程度がよい。これに対峙した離間基準縁の長さＬは４０〜７５ｍｍがよい。
【０００８】
【発明の実施の形態】
図１は直状の離間基準縁を覗き窓として設けた本発明のヘッドを有するゴルフクラブの平面図である。図２は十字状の離間基準縁を覗き窓として設けた本発明のヘッドの実施例の斜視図である。これらの図にみられるように、本発明はヘッド１に設けられた指標線２の上方へ（プレイヤー側に）離間基準縁１０として覗き窓３を設けている。指標線２の太さは３ｍｍで、長さ３０ｍｍである。覗き窓３はその上方３０ｍｍの高位置Ｈへ開口している。開口幅Ｗは６ｍｍとし、長さＬは４０ｍｍである。覗き窓３はほぼヘッド１の中央に設けている天板１ａの厚みＴが６ｍｍの部分へ設けている。指標線２の上方に設けた空洞の天板を貫通して設けている。指標線２がよく見えるように、背部に明り取窓４を設けるとよい。
【０００９】
離間基準縁１０はその両縁が必ずしも指標線２に沿う必要はなく、少なくとも片縁が指標線に沿えばよいので、例えば図３のように、ヘッド１からの起立壁５の片縁であってもよい。天板１１へ離間基準縁１０を覗き窓３として設けた場合、ヘッド１が正確に目標の方向に向くと図４のように視覚によって指標線２を把握できる。ヘッド１の向きが少しでも狂うと、図５のように指標線２を覗き窓３から把握できなくなり、確実なスイングができず、的確に目標の方向に打つことができない。
【００１０】
更に、離間基準縁１０の作用を覗き窓３の例で図６〜図８に示す。図７（ａ）はヘッド１が正確に目標に向いた場合であって、覗き窓３の中央かつ離間基準縁１０ａ，１０ｂに沿って指標線２が見える。ここで、もしもシャフト６の端部のヘッド１（のフェイス）が正確に目標の方向に向かないでオープンの状態になると、図６（ａ）のように、この例では覗き窓３から指標線２の先部側が図中左方の離間基準縁１０ａに接近し、基部側が図中右方の離間基準縁１０ｂに接近したように見える。逆にクローズの状態になると、図８（ａ）のように、この例では覗き窓３から指標線２の先部側が図中右方の離間基準縁１０ｂに接近し、基部側が図中左方の離間基準縁１０ａに接近したように見えるのである。
【００１１】
この理由は錯覚に基づくものとも考えられ勝ちであるが、以下のように説明できる。すなわち、ヘッドがパターの場合、フェイスと垂線とのなす角度であるロフト角Ｙがほぼ３°に設定されている。その様子は図７（ｂ）にみられる。もしもヘッド１が正確に目標の方向に向かないでオープンの状態になると、図６（ｂ）のように、このロフト角は、増加した角Ｘとなってしまう。逆にクローズの状態になると、図８（ｂ）のように、ロフト角が減少した角Ｚとなってしまう。そこで、例えば、オープンの状態になった時（図６の状態）をパターの先部と基部でみると、図９に示すように、パターの先部と基部側のロフト角αと先部側のロフト角βで差異が生じる。このことによって、図６（ａ）のようにヘッドの接地側と高位置側では視覚的に覗き窓３と指標線２との間に傾斜状態が観察されると考えられる。
【００１２】
このことは、模式的に図９に示した指標線２の描かれた面を線Ｐで示し、覗き窓３の形成された面を線Ｏで示した場合に、線Ｐと線Ｏとの間隔がシャフト６付近の基部側Ｈ１と先基部側Ｈ２とで異なる開勾配または閉勾配の場合に目線が一定の場合確実に起こり得る。基準線２と平行かつ上方へことなる間隔を置いて離間基準縁を設けるのである。
【００１３】
そこで、覗き窓３に指標線２が離間基準縁１０ａ，１０ｂに沿うように図７（ａ）のようにヘッドの向きを修正すれば、フェイスが正確に目標に向くのである。これによって、確実なスイングにより的確に目標の方向に打つことができる。
【００１４】
【発明の効果】
本発明によって、ゴルフボール前で離間基準縁に指標線が平行に沿うようにヘッドを修正するだけで、フェイスが正確に目標に向く。これによって、確実なスイングによりゴルフボールを的確に目標の方向に打つことができる。
【００１５】
また、既存のパター等に装着する構造とすることもでき、手軽に使用できる汎用性がある。
【図面の簡単な説明】
【図１】直状の離間基準縁を覗き窓として設けた本発明のヘッドを有するゴルフクラブの平面図である。
【図２】十字状の離間基準縁を覗き窓として設けた本発明のヘッドの実施例の斜視図である。
【図３】ヘッドからの起立壁を離間基準縁とした例の断面図である。
【図４】離間基準縁を覗き窓として設けた例の断面図である。
【図５】ヘッドの向きが狂った時の断面図である。
【図６】（ａ）はヘッドの向きがオープンの状態になり狂った時の覗き窓と指標線部分の要部平面図である。（ｂ）は同状態のヘッドの側面図である。
【図７】（ａ）はヘッドの向きが正常な時の覗き窓と指標線部分の要部平面図である。（ｂ）は同状態のヘッドの側面図である。
【図８】（ａ）はヘッドの向きがクローズの状態になり狂った時の覗き窓と指標線部分の要部平面図である。（ｂ）は同状態のヘッドの側面図である。
【図９】ヘッドの側面図である。
【符号の説明】
１　ヘッド
２　指標線
３　覗き窓
４　明り取窓
５　起立壁
６　シャフト
１０　離間基準縁
１１　天板
【図１】
2004135880.tif 000003
【図２】
2004135880.tif 000004
【図３】
2004135880.tif 000005
【図４】
2004135880.tif 000006
【図５】
2004135880.tif 000007
【図６】
2004135880.tif 000008
【図７】
2004135880.tif 000009
【図８】
2004135880.tif 000010
【図９】
2004135880.tif 000011